(57)【特許請求の範囲】
【請求項１】
天井部より垂下された吊りボルトの隣合うもの同士間に振れ止め用筋交いを入れ、この筋交いの上端部を上端部取付手段を介して隣り合う一方の吊りボルトの上端部に取り付け、筋交いの下端部を下端部取付手段を介して他方の吊りボルトの下端部に取り付けてなる吊りボルト振れ止め装置であって、
上端部取付手段は、ボルト嵌合溝を有する水平片部の一端部又は両端部から斜片部が下り傾斜状に延設され、この斜片部の下端部から直角に突設された突片部にネジ孔が設けられ、水平片部のボルト嵌合溝を吊りボルトに嵌め込んで、吊りボルトに螺合される上下一対のナットによって水平片部が挟着固定される取付金具と、一端部側が筋交いの上端部に連結され、他端部側が取付金具のネジ孔にねじ込まれる取付ボルトとからなり、
下端部取付手段は、ボルト嵌合溝を有する水平片部の一端部又は両端部から斜片部が上り傾斜状に延設された取付金具からなるもので、水平片部のボルト嵌合溝を吊りボルトに嵌め込んで、吊りボルトの下端部に螺合されるハンガー取付用ナットとハンガーとで水平片部を挟着固定し、斜片部を筋交いの下端部に連結するようになっている吊りボルト振れ止め装置。
【請求項２】
下端部取付手段における取付金具の斜片部は、水平片部の一端部又は両端部から延びた斜片部本体と、この斜片部本体の一側縁部から直角に突設されていて、ビス挿通孔を有する筋交い取付部片とからなる請求項１に記載の吊りボルト振れ止め装置。
【請求項３】
上端部取付手段と下端部取付手段とに共通の取付金具であって、この取付金具は、ボルト嵌合溝を有する水平片部と、この水平片部一端部又は両端部から傾斜状に延設された斜片部と、斜片部の先端部から直角に突設されたネジ孔付き突片部とからなり、斜片部は、水平片部の一端部又は両端部から延びた斜片部本体と、この斜片部本体の一側縁部から直角に突設されていて、ビス挿通孔を有する筋交い取付部片とからなるもので、ネジ孔付き突片部は斜片部本体の先端部から突設されている請求項１又は２に記載の吊りボルト振れ止め装置。
【発明の詳細な説明】
【技術分野】
【０００１】
本発明は、建物躯体の天井部より垂下された天井材吊持用の吊りボルトの隣合うもの同士間に振れ止め用筋交いを入れるようにした吊りボルト振れ止め装置に関する。
【背景技術】
【０００２】
地震発生時における天井材の損壊・落下を防止するために、建物躯体の天井部より垂下された天井材吊持用の吊りボルトの隣合うもの同士間に振れ止め用筋交いを入れるようにした吊りボルト振れ止め装置が種々提案されている。従来の吊りボルト振れ止め装置として、特許公報等の公知文献を具体的に挙げることはできないが、従来の吊りボルト振れ止め装置は、部品点数が多く、装置の製作コストが高くつく上に、振れ止め用筋交いを吊りボルトに取り付けるのに非常な手間がかかり、施工コストも高くなる、といった問題があった。
【発明の開示】
【発明が解決しようとする課題】
【０００３】
本発明は、構造が簡単で部品点数が少なく、安価に製作できると共に、吊りボルトへの振れ止め用筋交いの取付けが簡単容易に行なえ、それによって施工コストを安くできる吊りボルト振れ止め装置を提供することを目的とする。
【課題を解決するための手段】
【０００４】
上記課題を解決するための手段を、後述する実施形態の参照符号を付して説明すると、請求項１に係る発明は、天井部Ｓより垂下された天井材吊持用吊りボルト１…の隣合うもの１，１同士間に振れ止め用筋交い２を入れ、この筋交い２の上端部を上端部取付手段３を介して隣り合う一方の吊りボルト１の上端部に取り付け、筋交い２の下端部を下端部取付手段４を介して他方の吊りボルト１の下端部に取り付けてなる吊りボルト振れ止め装置であって、
上端部取付手段３は、ボルト嵌合溝７を有する水平片部５ａの一端部又は両端部から斜片部５ｂが下り傾斜状に延設され、この斜片部５ｂの下端部から直角に突設された突片部５ｃにネジ孔８が設けられ、水平片部５ａのボルト嵌合溝７を吊りボルト１に嵌め込んで、吊りボルト１に螺合される上下一対のナット１６，１６によって水平片部５ａが挟着固定される取付金具５と、一端部側が筋交い２の上端部に連結され、他端部側が取付金具５のネジ孔８にねじ込まれる取付ボルト６とからなり、
下端部取付手段４は、ボルト嵌合溝１０を有する水平片部９ａの一端部又は両端部から斜片部９ｂが上り傾斜状に延設された取付金具９からなるもので、水平片部９ａのボルト嵌合溝１０を吊りボルト１に嵌め込んで、吊りボルト１の下端部に螺合されるハンガー取付用ナット１８，１８とハンガー１１とで水平片部９ａを挟着固定し、斜片部９ｂを筋交い２の下端部に連結するようになっていることを特徴とする。
【０００５】
請求項２は、請求項１に記載の吊りボルト振れ止め装置において、下端部取付手段４における取付金具９の斜片部９ｂは、水平片部９ａの一端部又は両端部から延びた斜片部本体９ｂ1 と、この斜片部本体９ｂ1 の一側縁部から直角に突設されていて、ビス挿通孔２４を有する筋交い取付部片９ｂ2 とからなることを特徴とする。
【０００６】
請求項３は、請求項１又は２に記載の吊りボルト振れ止め装置において、上端部取付手段３と下端部取付手段４とに共通の取付金具２０であって、この取付金具２０は、ボルト嵌合溝１０を有する水平片部２０ａと、この水平片部２０ａの一端部又は両端部から傾斜状に延設された斜片部２０ｂと、斜片部２０ｂの先端部から直角に突設されたネジ孔８付き突片部２０ｃとからなり、斜片部２０ｂは、水平片部２０ａの一端部又は両端部から延びた斜片部本体２０ｂ1 と、この斜片部本体２０ｂ1 の一側縁部から直角に突設されていて、ビス挿通孔２４を有する筋交い取付部片２０ｂ2 とからなるもので、ネジ孔８付き突片部２０ｃは斜片部本体２０ｂ1 の先端部から突設されていることを特徴とする。
【発明の効果】
【０００７】
上記解決手段による発明の効果を、後述する実施形態の参照符号を付して説明すると、請求項１に係る発明によれば、上端部取付手段３及び下端部取付手段４の構造が簡単で部品点数が少ないから、安価に製作でき、しかも吊りボルト１への取り付けにあたっては、取付金具５，９のボルト嵌合溝７，１０を吊りボルト１の嵌合して、ナット１６，１６、１８，１８により挟着すればよく、また取付ボルト６のねじ込みにあたっては、作業者が振れ止め用筋交い２を斜めに保持し、筋交い２の上端から突出するボルト本体部６ｂの先端部を突片部５ｃのネジ孔８に押し込んで、筋交い２全体をねじ込み方向に回転させればよいから、高所での取付け作業を簡単且つ容易に行なうことができる。
【０００８】
請求項２に係る発明によれば、下端部取付手段４における取付金具９の斜片部９ｂが、水平片部９ａの一端部又は両端部から延びた斜片部本体９ｂ1 と、この斜片部本体９ｂ1 の一側縁部から直角に突設され、ビス挿通孔２４を有する筋交い取付部片９ｂ2 とからなるため、振れ止め用筋交い２としてチャンネル材等を使用する場合に、チャンネル材等を横向き姿勢（チャンネル材ではその開口部が横を向く姿勢）で筋交い２，２間に配置することにより、振れ止め用筋交いとして強度的に有効に作用させることができることから、そのような横向き姿勢で筋交い２の下端部を的確且つ容易に取付けできるようになる。
【０００９】
請求項３に係る発明によれば、取付金具２０を上端部取付手段３の取付金具５と下端部取付手段４の取付金具９とに共用できるから、取付金具２０の製作コストを著しく安くできる効果がある。
【発明を実施するための最良の形態】
【００１０】
以下に、本発明の好適な実施形態について説明すると、図１は、建物躯体の天井スラブＳより垂下された吊りボルト１…の互いに隣り合う吊りボルト１，１同士に、振れ止め用筋交い２を入れた状態を示す正面図であり、図２は図１の矢印イで囲まれる部分の拡大分解斜視図、図３は図１の矢印ロで囲まれる部分の拡大分解斜視図である。各吊りボルト１の上端部は、天井スラブ（天井部）Ｓに埋設されたインサート（図示せず）に螺着され、そして各吊りボルト１の下端部には、ハンガー１１が取り付けてあって、このハンガー１１により野縁受け１２が支持され、この野縁受け１２に取り付けられる野縁１３を介して天井材１４が吊持される。
【００１１】
本発明に係る吊りボルト振れ止め装置は、図１に示すように、天井スラブ（天井部）Ｓより垂下された吊りボルト１…の隣合う吊りボルト１，１間に振れ止め用筋交い２を入れ、この振れ止め用筋交い２の上端部を上端部取付手段３を介して隣り合う一方の吊りボルト１の上端部に取り付け、振れ止め用筋交い２の下端部を下端部取付手段４を介して他方の吊りボルト１の下端部に取り付けるようにしたものである。
【００１２】
しかして、上端部取付手段３は、図２に示すように、ボルト嵌合溝７を有する水平片部５ａの一端部から斜片部５ｂが下り傾斜状に延設され、この斜片部５ｂの下端部から上向きに直角に突設された突片部５ｃにネジ孔８が設けられ、水平片部５ａのボルト嵌合溝７を吊りボルト１に嵌め込んで、吊りボルト１に螺合された上下一対のナット１６，１６によって水平片部５ａが挟着固定される取付金具５と、一端部側の扁平板状部６ａがビス１７によって振れ止め用筋交い２の上端部に固着され、他端部側のボルト本体部６ｂが取付金具６のネジ孔８にねじ込まれる取付ボルト６と、から構成される。
【００１３】
この上端部取付手段３の取付金具５は、鉄板等の金属板を予め所定幅の帯状に形成したものを適宜に折曲することによって、図２に示すような形状に形成される。取付金具５の斜片部５ｂには補強リブ１５が設けてある。取付ボルト６は、一端部側の扁平板状部６ａと他端部側のボルト本体部６ｂとからなるもので、扁平板状部６ａには複数のビス挿通孔（図示省略）が設けてある。
【００１４】
尚、上端部取付手段３は、図２の実線で示す実施形態では、ボルト嵌合溝７を有する水平片部５ａの一端部から斜片部５ｂを下り傾斜状に延設し、この斜片部５ｂの下端部から上向きに直角に突片部５ｃを突設してなるものであるが、同図２の仮想線で示すように、ボルト嵌合溝７を有する水平片部５ａの両端部から斜片部５ｂ，５ｂを夫々下り傾斜状に延設し、これら斜片部５ｂ，５ｂの夫々下端部から上向きに直角に突片部５ｃを突設、各突片部５ｃにネジ孔８を形成したものでもよい。
【００１５】
下端部取付手段４は、図３に示すように、ボルト嵌合溝１０を有する水平片部９ａの両端部から斜片部９ｂが上り傾斜状に延設された取付金具９からなるもので、水平片部９ａのボルト嵌合溝１０を吊りボルト１に嵌め込んで、吊りボルト１の下端部に螺合されるハンガー取付用ナット１８とハンガー１１とによって水平片部９ａを挟着固定し、斜片部９ｂを振れ止め用筋交い２の下端部に固着するようになっている。この取付金具９の斜片部９ｂは、水平片部９ａの両端部から延びた斜片部本体９ｂ1 ，９ｂ1 と、各斜片部本体９ｂ1 の一側縁部から直角に突設された筋交い取付部片９ｂ2 とからなるもので、筋交い取付部片９ｂ2 にビス挿通孔２４が設けられている。
【００１６】
ハンガー１１は、図３に示すように、鉄板等の金属板をプレス加工することにより形成された周知構造のもので、ボルト挿通孔１９を有する水平支持壁部１１ａと、この水平支持壁部１１ａの一端部から下方へ延設されて野縁１３を受持し得るように略Ｕ字状に形成された野縁受け１１ｂとからなり、吊りボルト１への取付けにあたっては、水平支持壁部１１ａのボルト挿通孔１９を吊りボルト１に通し、ハンガー取付用の一対のナット１８，１８により水平支持壁部１１ａを挟み付けることによって、吊りボルト１に取り付けられる。
【００１７】
振れ止め用筋交い２は、好ましくは図１〜図３に示すようなチャンネル材（溝形鋼材）からなるが、アングル材（Ｌ形鋼材）や帯板材等を使用してもよい。
【００１８】
次に、上記したような構成の吊りボルト振れ止め装置の取付施工について説明すると、いま、吊りボルト振れ止め手段が設けられていない既設の天井装置の吊りボルト１…に対し、本発明による上記のような上端部取付手段３及び下端部取付手段４によって振れ止め用筋交い２を取り付けるときは、図４に示すような差し込み式のナット１６を吊りボルト１の上端所要部に上下に所要間隔をおいて一対取り付ける。
【００１９】
即ち、この差し込み式ナット１６は、図４の(d) に示すように、一端部２１ａ，２２ａ同士が枢軸２３によって枢支連結され且つ他端部２１ｂ，２２ｂ同士が互いに係嵌可能な一対のナット半割体２１，２２からなるもので、図４の(a) に示すように両ナット半割体２１，２２を開いた状態で吊りボルト１に差し込んだ後、同図の(b) に示すように両ナット半割体２１，２２を閉じてロックすることにより、吊りボルト１に螺合させることができる。従って、同図の(c) に示すように２つのナット１６，１６を吊りボルト１の上端所要部に上下に所要間隔をおいて取り付けておく。
【００２０】
上記のようにして既設の吊りボルト１の上端所要部に一対のナット１６，１６に取り付けたならば、図２に示すように、上端部取付手段３における取付金具５の水平片部５ａのボルト嵌合溝７を上下ナット１６，１６の間から吊りボルト１に嵌合させ、上側のナット１６を締付方向に回すことにより、水平片部５ａを上下両ナット１６，１６で挟着して、取付金具５を吊りボルト１の上端所要部に取付け固定する。
【００２１】
こうして吊りボルト１の上端部に取付金具５を取り付けた後、図２に示すように、振れ止め用筋交い２の上端部に取付ボルト６の扁平板状部６ａをビス１７によって連結し、この取付ボルト６のボルト本体部６ｂを、取付金具５の突片部５ｃにあるネジ孔８にねじ込む。この取付ボルト６のねじ込みにあたっては、作業者が振れ止め用筋交い２を所要角度で斜めに保持して、この筋交い２の上端から突出するボルト本体部６ｂの先端部を突片部５ｃのネジ孔８に押し込み、この状態で筋交い２全体をねじ込み方向に回転させるようにすれば、ねじ込み作業が容易となる。尚、取付ボルト６の扁平板状部６ａは、図２に示すように、チャンネル材からなる筋交い２の底壁部２ａにビス止めする。
【００２２】
上記のように振れ止め用筋交い２の上端部を取付金具５と取付ボルト６とからなる上端部取付手段３を介して吊りボルト１の上端部に取り付けた後、この筋交い２の下端部を、下端部取付手段４によって吊りボルト１の下端部に取り付ける。この筋交い２の下端部の取付けにあたっては、図３に示すように、吊りボルト１の下端部で水平支持壁部１１ａを挟着している上下のナット１８，１８の上側のナット１８を緩め、上側へ引き上げて下側のナット１８との間に図示のような適当な隙間を設ける。
【００２３】
しかして、下端部取付手段４である取付金具９の水平片部９ａのボルト嵌合溝１０を、上下ナット１８，１８の隙間から吊りボルト１に嵌合させ、上側のナット１８を締付方向に回すことにより、水平片部９ａを上下両ナット１６，１６で挟着して、取付金具９を吊りボルト１の下端部に取付け固定する。
【００２４】
こうして取付金具９を吊りボルト１の下端部に取り付けた後、この取付金具９の一方の斜片部９ｂに振れ止め用筋交い２の下端部を連結する。この連結にあたっては、チャンネル材からなる筋交い２の底壁部２ａの内面を、図３に示すような状態から斜片部９ｂの筋交い取付部片９ｂ2 に当て付け、この状態でタッピングタイプ又はドリルタイプのビス２５を筋交い取付部片９ｂ2 のビス挿通孔２４より筋交い２の底壁部２ａにねじ込むようにすればよい。これによって、振れ止め用筋交い２の上下両端部を一方の吊りボルト１の上端部と他方の吊りボルト１の下端部とに取り付ける。
【００２５】
図３に示す下端部取付手段４の取付金具９は、水平片部９ａと、この水平片部９ａの両端部から上り傾斜状に延設された斜片部９ｂ，９ｂとからなるため、一方側の斜片部９ｂには一方の筋交い２の下端部が連結され、他方側の斜片部９ｂには他方の筋交い２の下端部が連結される。そして、その他方の筋交い２の上端部は他の吊りボルト１の上端部に上端部取付手段３を介して連結される。
【００２６】
また、下端部取付手段４における取付金具９の斜片部９ｂが、水平片部９ａの両端部から一体に延びた斜片部本体９ｂ1 ，９ｂ1 と、各斜片部本体９ｂ1 の一側縁部から下向き（上向きでもよい）直角に突設されたビス挿通孔２４付き筋交い取付部片９ｂ2 とからなる構造で、ビス挿通孔２４付き筋交い取付部片９ｂ2 に筋交い２の下端部を取り付けるようにしているのは、振れ止め用筋交い２としてチャンネル材を使用した場合に、このチャンネル材を図１〜図３に示すような横向き姿勢（チャンネルの開口部が横を向く姿勢）で筋交い２，２間に配置することによって振れ止め用筋交いとして強度的に有効に作用させることができることから、そのような横向き姿勢で筋交い２の下端部を的確にしかも容易に取付けできるようにするためである。
【００２７】
図５は図１の矢印ハで囲まれる部分の拡大分解斜視図で、図１の左端にある吊りボルト１とこれと隣り合う吊りボルト１とに亘って掛け渡される振れ止め用筋交い２の下端部を下端部取付手段４によって吊りボルト１の下端部に取り付ける状態を示したものである。この下端部取付手段４は、ボルト嵌合溝１０を形成した水平片部９ａの一端部から斜片部９ｂが上り傾斜状に延設された取付金具９からなるもので、水平片部９ａのボルト嵌合溝１０を吊りボルト１に嵌め込んで、吊りボルト１の下端部に螺合されるハンガー取付用ナット１８，１８とハンガー１１とで水平片部９ａを挟着固定し、斜片部９ｂを筋交い２の下端部に連結するようにしている。
【００２８】
この取付金具９の斜片部９ｂは、水平片部９ａの一端部から一体に延びた斜片部本体９ｂ1 と、この斜片部本体９ｂ1 の一側縁部から下向き（上向きであってもよい）直角に突設されたビス挿通孔２４付き筋交い取付部片９ｂ2 とからなるもので、図３に示す下端部取付手段４と同様に、この筋交い取付部片９ｂ2 にチャンネル材からなる筋交い２の底壁部２ａの内面を当て付けて、ビス止めするようにしている。
【００２９】
上述した吊りボルト振れ止め装置の取付施工は、既設の天井装置の吊りボルト１に本発明の上端部取付手段３及び下端部取付手段４によって振れ止め用筋交い２を取り付ける、いわゆる後付けによる施工例であるが、本発明に係る吊りボルト振れ止め装置は、建物の新築工事の際の天井装置の吊りボルト１に新たに吊りボルト振れ止め装置を取り付ける場合にも適用可能である。この場合、上端部取付手段３の取付金具５を固定するための上下一対のナット１６，１６は、図４に示すような差し込み式ナット１６でもよいし、普通のナットでもよく、普通のナットを使用する時は、吊りボルト１の下端部から螺合させる必要がある。
【００３０】
以上のような吊りボルト振れ止め装置によれば、筋交い２の上端部を吊りボルト１の上端部に取り付ける上端部取付手段３は、ボルト嵌合溝７を有する水平片部５ａの一端部又は両端部から斜片部５ｂが下り傾斜状に延び、この斜片部５ｂの下端部から直角に突設された突片部５ｃにネジ孔８が設けられ、水平片部５ａのボルト嵌合溝７を吊りボルト１に嵌め込んで、吊りボルト１に螺合される上下一対のナット１６，１６で水平片部５ａが挟着固定される取付金具５と、一端部側が筋交い２の上端部に連結され、他端部側が取付金具５のネジ孔８にねじ込まれる取付ボルト６とからなり、筋交い２の下端部を吊りボルト１の下端部に取り付ける下端部取付手段４は、ボルト嵌合溝１０を有する水平片部９ａの一端部又は両端部から斜片部９ｂが上り傾斜状に延設された取付金具９からなるもので、水平片部９ａのボルト嵌合溝１０を吊りボルト１に嵌め込んで、吊りボルト１の下端部に螺合されるハンガー取付用ナット１８，１８とハンガー１１とで水平片部９ａを挟着固定し、斜片部９ｂを筋交い２の下端部に連結するようにしたものであって、上端部取付手段３及び下端部取付手段４の構造が簡単で部品点数が少ないから、安価に製作でき、しかも吊りボルト１への取り付けにあたっては、取付金具５，９のボルト嵌合溝７，１０を吊りボルト１の嵌合して、ナット１６，１６、１８，１８により挟着すればよく、また取付ボルト６のねじ込みにあたっては、作業者が振れ止め用筋交い２を斜めに保持し、筋交い２の上端から突出するボルト本体部６ｂの先端部を突片部５ｃのネジ孔８に押し込んで、筋交い２全体をねじ込み方向に回転させればよいから、高所での取付け作業を簡単且つ容易に行なうことができる。
【００３１】
図６は上端部取付手段３の取付金具と下端部取付手段４の取付金具とに共通の取付金具２０を示したもので、(a) は取付金具２０の斜視図、(b) は取付金具２０を平面状に展開した状態の平面図、(c) は取付金具２０の正面図である。この取付金具２０は、ボルト嵌合溝１０を有する水平片部２０ａと、この水平片部２０ａの両端部から対称状に傾斜状に延設された斜片部２０ｂ，２０ｂと、両斜片部２０ｂ，２０ｂの先端部から夫々直角に突設されたネジ孔８付きの突片部２０ｃ，２０ｃとからなり、各斜片部２０ｂは、水平片部２０ａの両端部から延びた斜片部本体９ｂ1 と、この斜片部本体９ｂ1 の一側縁部から直角に突設されていて、ビス挿通孔２４を有する筋交い取付部片９ｂ2 とからなるもので、ネジ孔８付き突片部２０ｃは斜片部本体２０ｂ1 の先端部から突設されている。この取付金具２０の製作にあたっては、鉄板等の金属板で(b) に示すような展開形状のものを作成し、これを図示の折れ線部２６に沿って折曲すればよい。
【００３２】
上記構成の取付金具２０を上端部取付手段３の取付金具として使用する時には、図８の(a) に示すような山形の姿勢（図６の(a) とは上下を逆にした姿勢）にして、図２により説明した要領で使用すればよく、また下端部取付手段４として使用する時は、図６の(a)
に示すような山形の姿勢にして、図３によって説明した要領で使用すればよい。
【００３３】
しかして、この取付金具２０を上端部取付手段３として使用する際、振れ止め用筋交い２にチャンネル材を使用して、これを横向き姿勢（チャンネルの開口部が横を向く姿勢）に配し取り付ける場合に、このチャンネル材からなる筋交い２の底壁部２ａの内面を筋交い取付部片９ｂ2 に当て付けてビス止めすることにより、筋交い２が突片部２０ｃに干渉することがない。
【００３４】
図７は水平片部２０ａの一端部のみから斜片部２０ｂを傾斜状に延設してなる取付金具２０を示したもので、図６に示す取付金具２０から片方の斜片部２０ｂと突片部２０ｃを切除したような取付金具５であり、(a) はこの取付金具２０の斜視図、(b) は取付金具２０を平面状に展開した状態の平面図、(c) は取付金具２０の正面図である。この取付金具２０を上端部取付手段３の取付金具として使用する時には、図８の(b) に示すような状態にして、図２により説明した要領で使用すればよいし、下端部取付手段４として使用する時は、上下逆様にして図７の(a) に示すような状態にして、図５で説明した要領で使用すればよい。この取付金具２０の製作においては、鉄板等の金属板で(b) に示すような展開形状のものを作成し、これを図示の折れ線部２６に沿って折曲すればよい。
【図面の簡単な説明】
【００３５】
【図１】建物躯体の天井スラブより垂下された吊りボルトの互いに隣り合う吊りボルト同士に振れ止め用筋交いを入れた状態の正面図である。
【図２】図１の矢印イで囲まれる部分の拡大分解斜視図である。
【図３】図１の矢印ロで囲まれる部分の拡大分解斜視図である。
【図４】(a) 及び(b) は差し込み式ナットの使用要領を示す斜視図、(c) は吊りボルトの上端部に上下一対の差し込み式ナットを取り付けた状態の正面図、(d) は差し込み式ナットを開放姿勢で示す斜視図である。
【図５】図１の矢印ハで囲まれる部分の拡大分解斜視図である。
【図６】上端部取付手段の取付金具と下端部取付手段の取付金具とに共通の取付金具を示し、(a) は取付金具の斜視図、(b) は取付金具を平面状に展開した状態の平面図、(c )は取付金具の正面図である。
【図７】水平片部の一端部のみから斜片部を傾斜状に延設してなる取付金具を示し、 (a)は取付金具の斜視図、(b) は取付金具を平面状に展開した状態の平面図、(c) は取付金具の正面図である。
【図８】(a) は図６の(a) に示す取付金具を上下逆様にした状態の斜視図、(b) は図７の(a) に示す取付金具を上下逆様にした状態の斜視図である。
【符号の説明】
【００３６】
Ｓ            天井スラブ（天井部）
１            吊りボルト
２            振れ止め用筋交い
３            上端部取付手段
４            下端部取付手段
５            取付金具
６            取付ボルト
７            ボルト嵌合溝
８            ネジ孔
９            取付金具
１０          ボルト嵌合溝
１１          ハンガー
【図１】
0004745844.tif 000002
【図２】
0004745844.tif 000003
【図３】
0004745844.tif 000004
【図４】
0004745844.tif 000005
【図５】
0004745844.tif 000006
【図６】
0004745844.tif 000007
【図７】
0004745844.tif 000008
【図８】
0004745844.tif 000009